(57)【要約】【課題】  受信不良等による動画情報の乱れにつき、視聴者にとって乱れと見えるかどうかを正確に判断する処理装置、記録装置及び処理方法を提供する。【解決手段】  複数のフレームによる動画情報を修復し、修復に失敗したフレームの間隔が第１所定時間以下であり、かつ、これらの修復に失敗したフレームの合計時間が第２所定時間以上である場合、この動画情報について乱れがあると判断する判断部と、動画情報についての判断結果を記憶領域に記録する管理部をもつ処理装置。【選択図】図１
2008124925.tif 000002
【特許請求の範囲】
【請求項１】
複数のフレームによる動画情報を修復し、修復に失敗したフレームの間隔が第１所定時間以下であり、かつ、これらの修復に失敗したフレームの合計時間が第２所定時間以上である場合、この動画情報について乱れがあると判断する判断部と、
前記動画情報についての判断結果を記憶領域に記録する管理部と、
を具備することを特徴とする処理装置。
【請求項２】
前記管理部が記録した前記判断結果を画面表示するべく画面信号を生成し、この画面表示に対して前記動画情報の処理を指示する指示信号を受けた場合、前記動画情報の処理を行なう処理部を更に有する請求項１記載の処理装置。
【請求項３】
前記管理部が記録した前記判断結果がこの動画情報について乱れがあるとの結果である場合、前記前記動画情報の処理を行なう処理部を更に有する請求項１記載の処理装置。
【請求項４】
放送信号を受信し復調して動画情報を出力するチューナ部と、
前記動画情報を記憶領域に記録する記録部と、
複数のフレームによる前記動画情報を修復し、修復に失敗したフレームの間隔が第１所定時間以下であり、かつ、これらの修復に失敗したフレームの合計時間が第２所定時間以上であるとき、この動画情報について乱れがあると判断する判断部と、
前記動画情報についての判断結果を記憶領域に記録する管理部と、
を具備することを特徴とする記録装置。
【請求項５】
前記管理部が記録した前記判断結果を画面表示するべく画面信号を生成し、この画面表示に対して前記動画情報の処理を指示する指示信号を受けた場合、前記動画情報の処理を行なう処理部を更に有する請求項４記載の記録装置。
【請求項６】
前記管理部が記録した前記判断結果がこの動画情報について乱れがあるとの結果である場合、前記前記動画情報の処理を行なう処理部を更に有する請求項４記載の記録装置。
【請求項７】
複数のフレームによる動画情報を修復し、
修復に失敗したフレームの間隔が第１所定時間以下であり、かつ、これらの修復に失敗したフレームの合計時間が第２所定時間以上である場合、この動画情報について乱れがあると判断し、
前記動画情報についての判断結果を記憶領域に記録することを特徴とする処理方法。
【発明の詳細な説明】
【技術分野】
【０００１】
この発明は、修復不可能なフレームのある動画情報であり視聴者にとって乱れとなる動画情報を判断する処理装置に関する。
【背景技術】
【０００２】
最近、例えば、地上波デジタル放送等のように、デジタル画像信号を記憶領域に録画する処理を行なう場合が増加してきている。このような録画の際は、デジタル放送コンテンツを視聴中、及び録画再生機器（以下、記録装置）に収録する途中、放送電波が、放送電波の出力低下、悪天候、高層ビル群、放送基地局から遠く離れる等の影響で極端に弱くなる場合がある。
【０００３】
特許文献１は、受信不良の発生を自動的に検出して、受信不良発生の時間や受信不良の影響を受けた番組内容を示す受信不良個所情報を作成して、ネットワーク経由でサーバに送信し、受信不良部分を復旧する復旧情報を取得する技術が開示されている。
【特許文献１】特開２００４−２７４５６１公報
【発明の開示】
【発明が解決しようとする課題】
【０００４】
しかし、特許文献１の従来技術は、例えば、受信不良により壊れたフレームを修理した動画情報について、破壊の程度が微妙な程度であった場合、人間の目で映像の乱れとなるかどうかの正確な判断ができないという問題がある。
【０００５】
本発明は、受信不良等による動画情報の乱れにつき、視聴者にとって乱れと見えるかどうかを正確に判断する処理装置、記録装置及び処理方法を提供することを目的とする。
【課題を解決するための手段】
【０００６】
課題を解決するための一実施形態は、
複数のフレームによる動画情報を修復し、修復に失敗したフレームの間隔が第１所定時間以下であり、かつ、これらの修復に失敗したフレームの合計時間が第２所定時間以上である場合、この動画情報について乱れがあると判断する判断部と、
前記動画情報についての判断結果を記憶領域に記録する管理部と、
を具備することを特徴とする処理装置である。
【発明の効果】
【０００７】
受信不良等による動画情報をフレーム毎に修理した動画情報について、視聴者の目から乱れと見えるかどうかを正確に判断する処理装置を提供する。
【発明を実施するための最良の形態】
【０００８】
以下、この発明の実施の形態について図面を参照して詳細に説明する。
【０００９】
＜本発明の一実施形態である処理装置の構成＞
初めに、本発明の一実施形態である処理装置を図１を用いて説明する。図１は、本発明の一実施形態に係る処理装置の構成の一例を示すブロック図である。
【００１０】
本発明の一実施形態である処理装置１０は、図１に示すように、図示しない記録装置からデジタル信号を受けるデジタル信号受信部１１と、この出力に復号、エラー検出・修復、乱れ判定等を行なうデジタル信号処理部１２と、この出力に再生処理を行なうデジタル信号再生部２０を有しており、この出力をディスプレイ等に供給する。
【００１１】
本発明の一実施形態である処理装置１０のデジタル信号処理部１２は、図１に示すように、暗号解読・圧縮展開・復号処理１３と、エラー検出部１４と、エラー修復部１５と、エラー修復情報記憶部１６と、乱れ判定部１７の機能を有している。
【００１２】
更に、本発明の一実施形態である処理装置１０は、上記したエラー修復情報記憶部１６と、乱れ判定部１７の処理結果によって、エラー修復失敗箇所管理テーブル２６と、乱れ映像管理テーブル２７が作成される。更に、乱れ情報を視聴者へ提示する機能２５として、乱れ提示部１８、乱れの隠しと結合処理機能としての乱れ隠し結合処理部１９を追加する。上記乱れ提示部１８と乱れ隠し結合処理部１９の処理結果によって、コンテンツ再生管理テーブル２８が生成される。
【００１３】
更に、これらのテーブル２６，２７，２８の値に基づいて、再生処理の動作管理を行なう再生管理部３０が設けられている。
【００１４】
本発明に係る処理装置１０においては、デジタル信号受信部１１から受取った信号データから復号された信号がエラー検出部１４により検出された場合、エラー修復部１５において修復が行われる。
【００１５】
ここで、修復の結果によらず、復号された信号データが、デジタル信号再生部２０を経て、テレビへ出力される。そのため、録画の際にアンテナからの受信が失敗、或いは信号が壊れた場合、再生の際に映像が乱れる現象が発生する。このような現象は、地上デジタル放送（特に基地局から極端に離れる場所において）を受信してコンテンツを録画する場合によく発生する。
【００１６】
この実施形態において、デジタル信号処理部１２において、エラー修復情報記憶部１６と、乱れ判定部１７との機能を追加することで、エラー修復失敗箇所管理テーブル２６と、乱れ映像管理テーブル２７が作成される。更に、乱れ情報を視聴者へ提示する機能としての乱れ提示部１８と、乱れの隠しと結合処理機能としての乱れ隠し・結合処理部１９を追加する。
【００１７】
この乱れ提示部１８と乱れ隠し・結合処理部１９の処理結果に基づいて、コンテンツ再生管理テーブル２８が作成される。
【００１８】
＜本発明の一実施形態である処理装置の処理動作＞
上記の構成をもつ処理装置１０において、以下に、その処理動作を説明する。
【００１９】
（エラー修復処理、乱れ映像判定処理等）
ハードディスレコーダ等の記録装置において、記録されたコンテンツを再生する際、欠落や壊れた信号データがあった場合、ＭＰＥＧ−２デコーダは、エラー修復処理（マクロブロック単位）を行う。エラー修復失敗箇所を管理するため、図１及び図２に示すエラー修復失敗箇所管理テーブル２６を用意する。この管理テーブル２６においては、再生時検知されたエラー修復失敗箇所２０４−２１０関連の情報（発生時刻、所在位置）が管理されている。
【００２０】
更に、上記「エラー修復失敗箇所管理テーブル」２６に基づき、乱れ判定部１７において、乱れ映像の自動判定を行う。ここで、上記エラー修復が失敗したマクロブックに対して、通常人間の視覚上乱れるかどうかを判定する（この詳細は、後述する図４と図５による説明を参照）。乱れ判定の結果として、乱れフレーム（２１１−２１４）を「乱れ映像管理テーブル」２７に格納して管理する。
【００２１】
上記のように、コンテンツ全体に対する乱れ映像判定が終了したら、乱れ映像のフレーム情報、発生時刻と終了時刻との情報を含めた「コンテンツ再生管理テーブル」２８を作成する。この管理テーブルには、綺麗に再生できるフレーム（１−９９，１０１−１９９,２０１−３９９,４０１−６９９等）と、乱れと判定されたフレーム（１００,２００,４００,７００）とを時間順序で管理する。
【００２２】
また、上記「コンテンツ再生管理テーブル」２８に基づいた「乱れ映像管理情報」（詳しくは図６を参照）の映像を視聴者に画面表示することができる。視聴者が乱れ映像を画面上で確かめながら隠し処理するべく操作することができる。これにより、上記乱れ映像が含まれている場合、コンテンツ再生時の見かけ上の乱れ映像を隠して、綺麗な映像のみを再生（２１５−２１８）することが可能である。
【００２３】
上記方法により、人間の視覚上乱れと感じられる乱れ映像（フレーム単位）が自動的に判定される。 更に、視聴者の操作により、上記乱れ映像を隠して綺麗な映像のみを再生することもできるほか、上記乱れ映像を含めた録画当時の映像そのまま再生することもできる。
【００２４】
（ＭＰＥＧ−２のレイヤー構造：図３）
次に、ＭＰＥＧ−２のレイヤー構造について、図３を用いて説明する。図３は、本発明の一実施形態に係る処理装置のＭＰＥＧ−２のレイヤー構造の一例を示す説明図である。
【００２５】
本発明に係る実施形態の処理装置において、デジタルコンテンツの再生（デコード処理）が、映像部分はＭＰＥＧ−２デコーダによりフレーム単位３０１で処理される。
【００２６】
放送規格により異なるが、例えば、走査方式が１０８０i（１本おき飛越し）で、１秒間に６０フレーム分の映像が再生される。また、ＭＰＥＧ−２デコーダでは、映像信号データは、マクロブロック単位（３０４,１６×１６画素）で処理され、例えば、ＨＤＴＶ（１９２０×１０８０ 画素）対応コンテンツの場合は、縦方向にスライス単位（３０２，縦１６画素）で、横方向にマクロブロック単位で映像データが処理（３０３）される。また、１つのマクロブロックは、１６×１６の画素（３０５）からなる。
【００２７】
ＭＰＥＧ−２の規格により、もし何らかの影響でＭＰＥＧ−２デコーダにおいて、デコードエラーが検知された場合、エラーを修復するために、エラー修復処理が行われる。修復できなかった場合、画面の一部が乱れる現象が起きてしまうことがある。
【００２８】
（３種類の乱れ判定処理）
・第１の乱れ判定処理
次に、乱れ判定部１７が行なう３種類の乱れ判定処理について、図面を用いて説明する。
【００２９】
図４は、本発明の一実施形態に係る処理装置のコンテンツ再生時、ＭＰＥＧ−２デコードエラーの修復結果による乱れ映像の判定処理（乱れ有り）の一例を示す説明図である。
【００３０】
図４の（ａ）において、映像フレームの流れ方向を、左から右へと仮定しておく。人間の肉眼では一般的に、０.１秒以上継続した映像の乱れを知覚できるため、この実施形態では、持続時間が０.１秒以上あった場合を映像の乱れとして判断することとする。
【００３１】
ここでは、エラー検出部１４がエラーを検出したフレームについて、エラー修復部１５がエラー修復を行い、このエラー修復が連続的に失敗した期間（エラー修復情報記憶部１６が記憶している）を求める。
【００３２】
そして、（エラー修復が連続的に失敗した期間）≧０．１秒であれば、人間の肉眼では映像の乱れと知覚できると考え、『乱れ有り』と判断する。なお、この実施形態の０．１秒という時間は、一例であり、更に多くのデータを収集することで、より適切な時間を求めることができる。
【００３３】
・第２の乱れ判定処理
図４の（ｂ）において、エラー修復が失敗したフレーム（４０５,４０６,４０７,４０８，４０９）が、フレームの間隔が０．１秒以内に連続的に繋がっている。かつ、エラーが失敗したフレームの合計時間が０．１秒以上である。
【００３４】
この場合も、人間の肉眼から見ると、映像の乱れを感じられるため、『乱れ有り』と判断する。なお、同様に、この実施形態のフレームの間隔の０．１秒という時間及び、エラーが失敗したフレームの合計時間の０．１秒という時間は、一例である。従って、更に多くのデータを収集することで、より適切な時間を求めることができ、その値を適用することが更に望ましい。
【００３５】
・第３の乱れ判定処理
図５は、本発明の一実施形態に係る処理装置のコンテンツ再生時、ＭＰＥＧ−２デコードエラーの修復結果による乱れ映像の判定処理（乱れ無し）の一例を示す説明図である。
【００３６】
図５においては、エラー修復の失敗したフレーム（５０１,５０２,５０３,５０４）が断続的だが、フレームの時間間隔が０.１秒以上であるため、人間の肉眼の錯覚から、映像に乱れが発生してないと判定する。従って、『乱れなし』と判断する。
【００３７】
上述した、第１乃至第３の乱れ判定処理によって、人間の肉眼でしか判らない映像の乱れの差違を、人間（視聴者）の判断にゆだねることなく、乱れ判定部１７の処理として機械的に検知することが可能となる。
【００３８】
（視聴者からの操作指示）
次に、乱れ映像の自動判定が終了したら、上記「乱れ映像判定管理テーブル」２７に基づき、乱れ映像関連情報（発生時刻、終了時刻、フレーム位置）をＧＵＩ画面上に表示する。これにより、乱れ映像の発生状況を視聴者へ提示し、視聴者から映像処理（隠し処理）を行なうか否かの操作指示を受けることが可能となる。
【００３９】
図６は、本発明の一実施形態に係る処理装置の乱れ映像関連情報の表示画面及び操作画面の一例を示す説明図である。
【００４０】
図６の（ａ）は、デジタルテレビのＬＡＮＨＤＤへのコンテンツ操作ＧＵＩを利用する例である。ここでは、テレビ画面６０１において、右側に「乱れ映像管理情報」６０４を表示する。その中、コンテンツ全体において乱れると判定された映像の発生状況が示されている。乱れ部分の映像を選択すると、それぞれの乱れ映像を確認できる。また、各乱れ部分に対して、見かけ上隠れているように操作するかどうかを操作するために、アイコン６０３を用意する。全ての乱れ箇所をチェックマークをつけると、次回以降の再生時に、乱れ映像が隠されるため、コンテンツ全体が綺麗に視聴することができる。
【００４１】
図６の（ｂ）は、ＨＤＤレコーダーでのコンテンツ操作ＧＵＩを利用する例である。タイムバーに、赤色が示す『乱れる』と判定された部分６０５と、水色が示す綺麗に再生できる部分６０６とを、判りやすいように表示する。上記と同様の操作で、アイコン６０７に対して、乱れ映像部分に対する操作が可能である。
【００４２】
＜フローチャートによる判定処理（隠し処理）の説明＞
次に、上述した処理装置１０の判定処理（隠し処理）の動作を、図７のフローチャートを用いて詳細に説明する。図７は、記録装置におけるコンテンツ再生時、乱れ映像の関連処理の一例を示すフローチャートである。
【００４３】
処理装置１０について、図７のフローチャートを用いて、ハードディスクレコーダ等の記録装置からコンテンツ再生することを例として説明する。初めに、再生管理部にて、『コンテンツ再生管理テーブル』に基づいて、再生方法を判断する（ステップＳ１１）。そして、理装置１０の再生管理部３０がコンテンツ再生を開始すると、ＭＰＥＧ−２デコーダは、デジタル信号データに対してデコード処理を行う（ステップＳ１２）。
【００４４】
何らかの影響で記録された信号が欠落、或いは壊れた場合、デコードエラーが発生する（ステップＳ１３）。ここで、ＭＰＥＧ−２デコーダ１５は、前記デコードエラーに対して、エラー修復処理を行う（ステップＳ１４）。エラー修復ができた場合、次の信号データに対してデコード処理を継続する（ステップＳ１５）。エラー修復が失敗した場合、エラー修復情報記憶部１６により、エラー修復の失敗が発生した時刻情報と位置情報（以下、エラー修復失敗情報）を記録する（ステップＳ１６）。この処理は、コンテンツの再生終了（ステップＳ１７，Ｓ１８）まで反復される。
【００４５】
コンテンツの再生が終了したら（ステップＳ１７）、上記したエラー修復失敗情報が、エラー修復箇所管理テーブル２６に格納される。更に、上記テーブルに格納されたエラー修復失敗情報に基づき、該当箇所が人間視覚の錯覚により乱れると感じられるかどうかの判断を、機械的に乱れ映像判定処理により行なう（ステップＳ１９）。
【００４６】
すなわち、具体的には、下記三つのパタン（図４（a），図４（b），図５）について映像が乱れるかどうかを判定する。
【００４７】
つまり、図５に上述したように、エラー修復が断続的に失敗し、かつ失敗フレーム間の時間間隔が０.１秒を越えた場合（ステップＳ２０）、乱れ無しと判定する（ステップＳ２１）。
【００４８】
次に、図４（ａ）に上述したように、エラー修復が連続的に失敗し、かつ持続時間が０.１秒を越えた場合（ステップＳ２２）、乱れ有りと判定する（ステップＳ２３）。
【００４９】
次に、図４（ｂ）に上述したように、エラー修復が連続的に失敗し、各失敗フレーム間の時間間隔が０.１秒を越えずに、かつ、失敗フレームの合計時間が０.１秒を越えた場合（ステップＳ２４）、乱れ有りと判定する（ステップＳ２５）。
【００５０】
そして、次の修復失敗フレームがある場合は、上記と同様に判定処理を続行する。次の修復失敗フレームがない場合は、上記「エラー修復失敗箇所管理テーブル」２６に基づき、「乱れ映像管理テーブル」２７を作成する（ステップＳ２７）。このテーブルには、上記エラー修復が失敗した箇所のフレーム情報と発生時刻、終了時刻との情報が格納される。
【００５１】
最後に、上記「乱れ映像管理テーブル」２７に基づき、乱れ映像を隠すように処理するかどうかについて、視聴者操作用ＧＵＩを用意し、視聴者に対し隠し処理を行うかどうかを提示し（ステップＳ２７）、視聴者からの隠し処理指示の操作を待つ（ステップＳ２８）。
【００５２】
視聴者が乱れ映像の隠し処理を行ないたい場合は、乱れ映像管理情報一覧６０４にあるチェックボックス６０３をチェックすることで、「コンテンツ再生管理テーブル」２８が作成され、以降の再生で視聴しようとする綺麗な映像部分関連のフレーム番号が、図２に示されるように、再生時間通りに繋がるようになる。
【００５３】
以上のように上記した手順により、ハードディスクレコーダ等の記録装置内におけるコンテンツ再生時、人間の肉眼で感知する映像の乱れ現象について、乱れの発生情報（発生時刻、フレーム）を自動的に検知と判定することが可能になる。更に、これらの乱れ情報を視聴者への提示し、視聴者の意思を反映して乱れ部分の隠し処理や前後映像の結合処理を実現することができる。
【００５４】
なお、このフローチャートでは、乱れ有無判断の後に、視聴者に乱れ有無等を画面で提示して、隠し処理等の実行は視聴者の指示操作がある場合だけとしている。しかし、他の実施形態として、『乱れ有り』と判断したら、視聴者に対する表示や操作待ちを行なわずに、自動的に隠し処理等の処理を行なう実施形態も好適である。
【００５５】
＜本発明の一実施形態である処理部が用いられた記録装置＞
次に、上述した処理装置の処理機能が、ハードディスクレコーダ等の記録機能をもった記録装置の一部に組み込まれた場合を図８のブロック図を用いて、詳細に説明する。図８は、本発明の一実施形態に係る処理部を内蔵した記録装置の一例を示すブロック図である。
【００５６】
図８の記録装置１００は、２種類のディスクドライブ部を有する。まず、ビデオファイルを構築できる情報記録媒体である第１のメディアとしての光ディスクＤを回転駆動し、情報の読み書きを実行する光ディスクドライブ部１１９を有する。又、第２のメディアとしてのハードディスクを駆動するハードディスクドライブ部１１８を有する。制御部１３０は、全体の動作を司るべくデータバスを介して各部に接続されている。
【００５７】
又、図１の記録装置１００は、録画側を構成するエンコーダ部１２１と、再生側を構成するＭＰＥＧデコーダ部１２３と、装置本体の動作を制御する制御部１３０とを主たる構成要素としている。記録装置１００は、入力側のセレクタ１１６と出力側のセレクタ１１７とを有しており、入力側のセレクタ１１６には、ＬＡＮ等の通信部１１１と、いわゆる衛星放送（ＢＳ／ＣＳ）チューナ部１１２と、いわゆる地上波チューナ部１１３とが接続され、エンコーダ部１２１に信号を出力する。又、ＢＳ／ＣＳチューナ部１１２には衛星アンテナが、地上波チューナ部１１３には地上波アンテナが接続されている。
【００５８】
又、記録装置１００は、エンコーダ部１２１と、エンコーダ部１２１の出力を受け、データ編集等の所望のデータ処理を行うデータ編集部１２０、データ編集部１２０に接続されるハードディスクドライブ部１１８、光ディスクドライブ部１１９を有している。更に、記録装置１００は、ハードディスクドライブ部１１８、光ディスクドライブ部１１９からの信号を受けてデコードするＭＰＥＧデコーダ部１２３と、エンコーダ部１２１、バッファ部１２２、ＭＰＥＧデコーダ部１２３、多重化部１２８、分離部１２９、制御部１３０、上述した乱れ画像処理部１０、予約録画や番組表画像を生成する予約録画部１４３を有している。これらの各部は、データバスを介して制御部１３０に接続されている。更に、セレクタ部１１７の出力は、外部の受像機１４１に接続されるか、外部装置との通信を行うインタフェース部１２７を介して、外部装置に供給される。
【００５９】
更に、記録装置１００は、データバスを介して制御部１３０に接続され、ユーザの操作やリモコンＲの操作を受ける操作部１３２を有している。ここで、リモコンは、記録装置１００の本体に設けられる操作部１３２とほぼ同等の操作を可能とするものであり、ハードディスクドライブ部１１８や光ディスクドライブ部１１９の記録再生指示や、編集指示、又、チューナの操作、予約録画の設定等、各種設定が可能である。
【００６０】
このような構成をもつ記録装置１００に内蔵された乱れ画像処理部１０も、上述した独立した単体の処理装置１０と同様の動作を示すものである。この結果、記録装置におけるコンテンツ再生時、人間の肉眼で感知する映像の乱れ現象について、乱れの発生情報を自動的に検知と判定することが可能となる。また、これら情報を視聴者へ提示し、乱れ部分の隠し処理と、前後映像の結合機能を可能としている。
【００６１】
以上、詳細に説明したように、本発明に係る実施形態によって、記録装置におけるコンテンツ再生時、人間の肉眼で感知する映像の乱れ現象について、乱れの発生情報を自動的に検知と判定することが可能となる。また、これら情報を視聴者へ提示し、乱れ部分の隠し処理と、前後映像の結合機能を可能としている。
【００６２】
上記機能により、視聴者にとって気に入らない乱れ部分を隠して管理することで、全体的に視聴者が気にならないレベルの映像として視聴することが可能になる。また、視聴者の選択によって、隠し処理等が行なわれない、録画当時記録された映像そのままでの再生も可能となる。
【００６３】
また、上記した実施形態が適用できるコーデックは、ＭＰＥＧ−２に限らず、Ｈ．２６４などにおいても同様な処理を行うことが可能である。
【００６４】
また、この実施形態の０．１秒という時間は、一例であり、更に多くのデータを収集することで、より適切な時間を求めることができ、他の時間についても本発明の実施形態の範囲に含まれるものである。
【００６５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００６６】
【図１】本発明の一実施形態に係る処理装置の構成の一例を示すブロック図。
【図２】本発明の一実施形態に係る処理装置のエラー修復、映像乱れ判定、コンテンツ再生を管理するテーブルの一例を示す説明図。
【図３】本発明の一実施形態に係る処理装置のＭＰＥＧ−２のレイヤー構造の一例を示す説明図。
【図４】本発明の一実施形態に係る処理装置のコンテンツ再生時、ＭＰＥＧ−２デコードエラーの修復結果による乱れ映像の判定処理（乱れ有り）の一例を示す説明図。
【図５】本発明の一実施形態に係る処理装置のコンテンツ再生時、ＭＰＥＧ−２デコードエラーの修復結果による乱れ映像の判定処理（乱れ無し）の一例を示す説明図。
【図６】本発明の一実施形態に係る処理装置の乱れ映像関連情報の表示画面及び操作画面の一例を示す説明図。
【図７】本発明の一実施形態に係る処理装置の判定処理の一例を示すフローチャート。
【図８】本発明の一実施形態に係る処理部を内蔵した記録装置の一例を示すブロック図。
【符号の説明】
【００６７】
１０…処理装置、１１…デジタル信号受信部、１２…デジタル信号処理部、１８…乱れ提示部、１９…乱れ隠し結合処理部、２０…デジタル信号再生部、２６…エラー修復失敗個所管理テーブル、２７…乱れ映像判定管理テーブル、２８…コンテンツ再生管理テーブル、３０…再生管理部。
【図１】
2008124925.tif 000003
【図２】
2008124925.tif 000004
【図３】
2008124925.tif 000005
【図４】
2008124925.tif 000006
【図５】
2008124925.tif 000007
【図６】
2008124925.tif 000008
【図７】
2008124925.tif 000009
【図８】
2008124925.tif 000010